(57)【要約】【課題】着用者の耳部近辺への衝撃を緩和することができる日本拳法少年面を提供する。【解決手段】着用者の顔面を保護する面金具１０を有する前面ガード部２と、この前面ガード部２に連なる頭頂布部３及び後頭布部４と、前面ガード部２に連なり、着用者の側頭部を保護する左右の側頭ガード部５とを備え、側頭ガード部５の耳部相当位置には、通音孔６を形成するとともに、通音孔６の周囲には、着用者の耳部及びその周囲への衝撃を緩和する肉厚部７をそれぞれ形成した。【選択図】図１
0003204541.tif 000002
【実用新案登録請求の範囲】
【請求項１】
着用者の顔面を保護する面金具を有する前面ガード部と、
この前面ガード部に連なる頭頂布部及び後頭布部と、
前記前面ガード部に連なり、着用者の側頭部を保護する左右の側頭ガード部とを備え、
この側頭ガード部の耳部相当位置には、通音孔を形成するとともに、
この通音孔の周囲には、着用者の耳部及びその周囲への衝撃を緩和する肉厚部をそれぞれ形成したことを特徴とする日本拳法少年面。
【請求項２】
前記肉厚部には、一本のポリエチレン発泡体が環状に埋め込まれていることを特徴とする請求項１記載の日本拳法少年面。
【請求項３】
前記面金具は、面ファスナにより前面ガード部に着脱自在に取り付けられていることを特徴とする請求項１または２に記載の日本拳法少年面。
【請求項４】
前記側頭ガード部と後頭布部とが、面ファスナにより接合されていることを特徴とする請求項１乃至３の何れかに記載の日本拳法少年面。
【考案の詳細な説明】
【技術分野】
【０００１】
本考案は、日本拳法の少年競技者が使用する日本拳法少年面に関するものである。
【背景技術】
【０００２】
日本拳法の試合時または練習時には、競技者の顔面及び頭部を保護する目的としてフェイスガード（日本拳法の少年競技者においては日本拳法少年面）を着用することが推奨、または義務付けられている。このようなフェイスガードは、競技種目によってその形状に多少の異なりがあるものの、着用者の顔面を保護する前面ガード部と、この前面ガード部に連なる頭頂布部及び後頭布部と、前面ガード部に連なり着用者の側頭部を保護する左右の側頭ガード部とを備えるという基本構造は共通している（特許文献１）。
【０００３】
しかし前記の特許文献１によれば、側頭ガード部の耳部相当位置に通音孔が形成されているものの、通音孔の周囲には特段の保護構造が設けられておらず、例えば相手の上段蹴り等が耳部近辺にヒットした場合に、その衝撃を充分に緩和できるものではないという問題があった。
【先行技術文献】
【特許文献】
【０００４】
【特許文献１】実用新案登録第３１５２２８７号公報
【考案の概要】
【考案が解決しようとする課題】
【０００５】
本考案の目的は前記した従来の問題点を解決し、着用者の耳部近辺への衝撃を緩和することができる日本拳法少年面を提供することである。
【課題を解決するための手段】
【０００６】
上記課題を解決するためになされた本考案は、着用者の顔面を保護する面金具を有する前面ガード部と、この前面ガード部に連なる頭頂布部及び後頭布部と、前記前面ガード部に連なり、着用者の側頭部を保護する左右の側頭ガード部とを備え、この側頭ガード部の耳部相当位置には、通音孔を形成するとともに、この通音孔の周囲には、着用者の耳部及びその周囲への衝撃を緩和する肉厚部をそれぞれ形成したことを特徴とするものである。
【０００７】
請求項２記載の考案は、請求項１記載の日本拳法少年面において、前記肉厚部には、一本のポリエチレン発泡体が環状に埋め込まれていることを特徴とするものである。
【０００８】
請求項３記載の考案は、請求項１または２記載の日本拳法少年面において、前記面金具は、面ファスナにより前面ガード部に着脱自在に取り付けられていることを特徴とするものである。
【０００９】
請求項４記載の考案は、請求項１乃至３の何れかに記載の日本拳法少年面において、前記側頭ガード部と後頭布部とが、面ファスナにより接合されていることを特徴とするものである。
【考案の効果】
【００１０】
本考案に係る日本拳法少年面は、通音孔の周囲に着用者の耳部及びその周囲への衝撃を緩和する肉厚部をそれぞれ形成したものである。これにより、相手の上段蹴り等が耳部近辺にヒットした場合であっても、その衝撃を充分に緩和できるものとなる。
【００１１】
請求項２に係る考案のように、肉厚部の内部にはポリエチレン発泡体を環状に埋め込むものとすれば、クッション性をより向上させることができる。また、請求項３に係る考案のように、金属製の面金具は面ファスナにより前面ガード部に着脱自在に取り付けられるものとすることで、面金具を外した状態で容易に洗濯等を行うことができるものとなる。さらに、請求項４に係る考案のように、側頭ガード部と後頭布部とを面ファスナにより接合する構造を採用すれば、この接合を解除することで容易に日本拳法少年面を着用者の頭部から外すことができるものとなる。
【図面の簡単な説明】
【００１２】
【図１】本考案の日本拳法少年面を示す側面図である。
【図２】肉厚部を別角度からみた拡大図である。
【図３】図２のＡ−Ａ’断面図である。
【図４】本考案の日本拳法少年面を後方からみた図である。
【考案を実施するための形態】
【００１３】
以下に本考案の好ましい実施形態を示す。
図１において、日本拳法少年面１は、着用者の顔面を保護する面金具１０を有する前面ガード部２と、前面ガード部２に連なるよう縫製された頭頂布部３及び後頭布部４と、前面ガード部２に連なり着用者の側頭部を保護する左右の側頭ガード部５とを備えている。面金具１０は金属製であり、相手の拳等が着用者の顔面に当たらないよう保護している。また、前面ガード部２及び側頭ガード部５は一枚の布により構成されており、さらにその内部には図３のように、衝撃を緩和するためのチップウレタン２０が設けられている。このチップウレタン２０は、前面ガード部２及び側頭ガード部５の全体に亘って設けられることで、あらゆる角度からの相手の攻撃による衝撃を緩和し、着用者の顔面及び頭部を保護するものとしている。
【００１４】
側頭ガード部５の耳部相当位置には、図１に示す通音孔６が形成されており、これにより競技者は周囲の音や声を聞きとることができる。そして図２に示すように、この通音孔６の周囲には、着用者の耳部及びその周囲への衝撃を緩和するための環状の肉厚部７がそれぞれ形成されている。この肉厚部７は、図３の断面図に示すように、側頭ガード部５に追加の耳あて生地８を縫い付けることにより構成されるものであり、さらにその内部には、丸棒状である一本のポリエチレン発泡体３０が環状に埋め込まれている。
【００１５】
より詳細には、側頭ガード部５の通音孔６側端部に、耳あて生地８の一端を縫い糸５０により縫い付け、さらにポリエチレン発泡体３０を環状に仮置きした上で、このポリエチレン発泡体３０を包み込むようにして、耳あて生地８の他端を縫い糸５１によって側頭ガード部５に縫い付ける。これにより、図２に示す環状の肉厚部７が形成されることとなる。
【００１６】
なお、ポリエチレン発泡体３０に限定されず、その他にもポリプロピレン発泡体等の発泡性樹脂により構成しても差し支えない。
【００１７】
以上のように、通音孔６の周囲に着用者の耳部及びその周囲への衝撃を緩和する肉厚部７をそれぞれ形成することで、相手の上段蹴り等が耳部近辺にヒットした場合であっても、その衝撃を充分に緩和できるものとなる。さらに、肉厚部７の内部にはポリエチレン発泡体３０を環状に埋め込んだことにより、クッション性をより向上させることができるものとしている。
【００１８】
また図１のように、金属製の面金具１０は、面ファスナ４０によって前面ガード部２に着脱自在に取り付けられている。このように面金具１０を着脱自在とすることで、面金具１０を外した状態で日本拳法少年面１の布部を容易に洗濯できるものとなる。
【００１９】
さらに、図４のように、側頭ガード部５の端部と後頭布部４との接合にも面ファスナ４１を採用することで、この接合を解除すれば、容易に日本拳法少年面１を着用者の頭部から外すことができるものとしている。
【符号の説明】
【００２０】
１  日本拳法少年面
２  前面ガード部
３  頭頂布部
４  後頭布部
５  側頭ガード部
６  通音孔
７  肉厚部
８  耳あて生地
１０  面金具
２０  チップウレタン
３０  ポリエチレン発泡体
４０  面ファスナ
４１  面ファスナ
５０  縫い糸
５１  縫い糸
【図２】
0003204541.tif 000003
【図４】
0003204541.tif 000004
【図１】
0003204541.tif 000005
【図３】
0003204541.tif 000006